(57)【要約】【課題】複数のタイトルのダビングに関する操作が煩雑であった。【解決手段】ステップＳ３において、リモコン装置（記録再生装置本体の操作部でも良い）の方向キー５７を操作しながら、録画リストにおいてダビングを行いたい番組ＩＤにフォーカスをあて、セレクトキー６５を押すことにより、ダビング処理の仮予約を行う。リモコン装置の一発ダビングキー７１が押されるまでは、ステップＳ１１に進み、セレクトキー６５を押す。仮予約した複数の番組について、ダビング条件の充足、ダビング動作設定の読み込み、ダビング元とダビング先の決定、実際のダビング処理から終了した旨の報知など一連の処理を、一発ダビングキーを押すだけの操作により行われる。【選択図】図２
2008027560.tif 000002
【特許請求の範囲】
【請求項１】
セレクトキーにより選択された複数の録画済み番組が仮ダビング予約され、
一括ダビングキーにより前記仮ダビング予約された複数の録画済み番組が一括してダビングされることを特徴とする記録再生装置。
【請求項２】
前記セレクトキー及び前記一括ダビングキーが、リモコン装置に設けられていることを特徴とする請求項１に記載の記録再生装置。
【請求項３】
前記セレクトキーを操作すると対応する録画済み番組の識別子を記憶するメモリを有し、
前記一括ダビングキーが押され、前記メモリに記憶されている識別子を読み出して対応する録画済み番組を一括してダビング処理することを特徴とする請求項１又は２に記載の記録再生装置。
【請求項４】
モニタに表示させた録画済み番組リストを参照して前記番組の選択を行うことを特徴とする請求項１から３までのいずれか１項に記載の記録再生装置。
【請求項５】
前記セレクトキーにより選択した番組に対して、仮予約状態であることを表示する第１の表示を行うことを特徴とする請求項１から４までのいずれか１項に記載の記録再生装置。
【請求項６】
前記仮予約を解除すると前記第１の表示が非表示となることを特徴とする請求項５に記載の記録再生装置。
【請求項７】
前記仮予約を一括予約すると、前記第１の表示が、該第１の表示と異なる第２の表示に変更されることを特徴とする請求項５又は６に記載の記録再生装置。
【請求項８】
前記予約において、所定の条件を満たさない場合には、表示画面に警告を表示させることを特徴とする請求項１から７までのいずれか１項に記載の記録再生装置。
【請求項９】
前記一括予約キーが押され、録画条件を満たしているかを調べ、仮予約を解除してダビング処理を行う一連の処理を自動的に行うことを特徴とする請求項１から８までのいずれか１項に記載の記録再生装置。
【請求項１０】
選択された前記複数の番組は、一括ダビングキーの操作により、選択順にダビングされることを特徴とする請求項１から９までのいずれか１項に記載の記録再生装置。
【請求項１１】
ダビングの選択順を表示することを特徴とする請求項１０に記載の記録再生装置。
【請求項１２】
前記一括ダビングの処理において、番組毎にダビングが完了するとダビング完了が報知されることを特徴とする請求項１から１１までのいずれか１項に記載の記録再生装置。
【請求項１３】
選択した複数の録画済み番組を仮予約可能なセレクトキーと、
仮予約された複数の録画済み番組を一括してダビング処理する一括ダビングキーと
を備えることを特徴とする操作部を有する記録再生装置のリモコン装置。
【請求項１４】
記録再生装置におけるダビング方法であって、
録画済み番組をセレクトキーにより順次選択し、メモリに選択された番組の識別子を記憶させるステップと、
一括ダビングキーにより、前記記憶された複数の録画済み番組を一括してダビング処理するステップと
を備えることを特徴とするダビング方法。
【請求項１５】
コンピュータに請求項１４に記載のステップを実行させるためのプログラム。
【発明の詳細な説明】
【技術分野】
【０００１】
本発明は、記録再生装置に関し、特に、一括して番組をダビングすることができる記録再生装置に関する。
【背景技術】
【０００２】
近年、デジタル放送の普及に伴って、大容量の記録装置（ＨＤＤ）及び大容量の光ディスクにコンテンツを記憶する記録再生装置も普及してきている。記録再生装置において利用される機能の１つとしてダビング機能がある。
【０００３】
ダビング機能に関する背景技術としては、例えば以下のようなものがある。
１）再生装置と記録装置とを含む装置に、記録と再生を同期させて行うためのタイミングを作成するスイッチとダビング制御部とを備え、ダビング時の操作が簡略化する技術（例えば、特許文献１参照）。
２）ディスク記録再生部と磁気記録再生部を備えた記録再生装置の本体とリモコンにダビング指示可能なキーを設け、ダビング指示入力信号に応じてダビング処理を実行する制御を行う（例えば、特許文献２参照）。
３）ディスク再生部と磁気記録再生部とを備えた記録再生装置において、一つの操作でダビングを行う機能を備える（例えば、特許文献３参照）。
【特許文献１】特開２００４−２８９５９４号公報
【特許文献２】特開２００４−２２０６４８号公報
【特許文献３】特開平７−３１２０２０号公報
【発明の開示】
【発明が解決しようとする課題】
【０００４】
上記の技術では、記録と再生とを同期させて行うダビング処理の制御を一つの操作で指示可能なキーを設けたことにより、煩雑な操作を不要とすることができるものである。しかしながら、記録済みのタイトルが複数ある場合に、その中から所望のタイトルを選択するには手間がかかり、また、複数の所望のタイトル順にダビングを指示させることはできないという問題がある。
本発明は、複数のタイトルに関するダビング操作の簡便化を図ることを目的とする。
【課題を解決するための手段】
【０００５】
本発明の一観点によれば、セレクトキーにより選択された複数の録画済み番組が仮ダビング予約され、一括ダビングキーにより前記仮ダビング予約された複数の録画済み番組が一括してダビングされることを特徴とする記録再生装置が提供される。前記セレクトキー及び前記一括ダビングキーが、リモコン装置に設けられていることが好ましい。
【０００６】
また、前記セレクトキーを操作すると対応する録画済み番組の識別子を記憶するメモリを有し、前記一括ダビングキーが押され、前記メモリに記憶されている識別子を読み出して対応する録画済み番組を一括してダビング処理することができるようにしても良い。      
【０００７】
モニタに表示させた録画済み番組リストを参照して前記番組の選択を行うようにしても良い。前記セレクトキーにより選択した番組に対して、仮予約状態であることを表示する第１の表示を行うと良い。さらに、前記仮予約を解除すると前記第１の表示が非表示となるようにすると良い。前記仮表示を一括予約すると、前記第１の表示が、該第１の表示と異なる第２の表示に変更されるとわかりやすい。また、前記予約において、所定の条件を満たさない場合には、表示画面に警告を表示させるとわかりやすい。
【０００８】
前記一括予約キーが押されると、録画先の録画可能容量が録画元の容量を上回っているか、録画条件を満たしているかを調べ、仮予約を解除してダビング処理を行う一連の処理を自動的に行うことを特徴とする。選択された前記複数の番組は、一括ダビングキーの操作により、選択順にダビングされるのが好ましい。この際、ダビングの選択順を表示するとわかりやすい。前記一括ダビングの処理において、番組毎にダビングが完了するとダビング完了が報知されるようにしても良い。
【０００９】
本発明の他の観点によれば、選択した複数の録画済み番組を仮予約可能なセレクトキーと、仮予約された複数の録画済み番組を一括してダビング処理する一括ダビングキーと、を備えることを特徴とする操作部を有する記録再生装置のリモコン装置が提供される。
【００１０】
本発明の別の観点によれば、記録再生装置におけるダビング方法であって、録画済み番組をセレクトキーにより順次選択し、メモリに選択された番組の識別子を記憶させるステップと、一括ダビングキーにより、前記記憶された複数の録画済み番組を一括してダビング処理するステップと、を備えることを特徴とするダビング方法が提供される。この方法をコンピュータに実行させるプログラムであっても良い。
【発明の効果】
【００１１】
本発明によれば、ダビングを希望する複数のタイトルを順番に選択して、一回のダビングキー操作でまとめてダビング指示をすることができるので、簡単な操作で複数タイトルのダビングができる。
【００１２】
また、ダビングの選択順が表示され、ダビングが完了したことが表示されるので、ユーザはダビングの進捗が確認できるという利点がある。
【発明を実施するための最良の形態】
【００１３】
以下に、本発明の一実施の形態による記録再生装置について図面を参照しながら説明を行う。図１は、本実施の形態による記録再生装置の一構成例を示す機能ブロック図である。
【００１４】
図１に示すように、本実施の形態によるデジタル機器システムＡは、記録再生装置１と、これを操作するためのリモコン装置３と、表示装置（モニタ）５及びスピーカ２９を含むデジタル放送受信装置Ｂと、を有している。実際には、デジタル放送受信装置Ｂは、デジタルテレビなどでも良いし、アナログテレビでも良い。本実施の形態による記録再生装置１は、光ディスクなどの外部記録メディア（ここではＤＶＤディスクを例にして説明する）７ａに対して記録再生が可能なＤＶＤ駆動部７と、ユーザ設定記録部１５と、リモコン装置３からのリモコン信号を受光するリモコン受光部１７と、メモリ１８と、全体を制御するＣＰＵなどの制御部１６と、例えばハードディスクなど、映像データなどを記録する内蔵映像データ記憶部２３と、映像信号を処理する映像信号処理部２１と、映像データの再生を行う再生部２５と、映像を出力する映像出力部２７と、音声を出力する音声出力部２８と、を有している。メモリ１８は、例えば、ＲＯＭとＲＡＭとを含んでおり、ＲＯＭには、制御部（マイコン）１６に以下に述べる処理を実行させるためのプログラムが格納されており、これを高速処理が可能なＲＡＭに展開して、ＣＰＵで実行させる。
【００１５】
図２は、本実施の形態による記録再生装置に関連する一発（一括、以下、「一発」と称する。）ダビング処理の流れを示すフローチャート図である。図３は、本実施の形態によるリモコン装置の操作ボタンの構成例を示す図である。図４は、一発ダビング処理における操作内容を流れに沿って具体的に示す図である。
【００１６】
図３に示すように、リモコン装置には多くの操作ボタンが設けられているが、電子番組表（ＥＰＧ）を表示させるためのボタン５２と、方向キー５７と、決定ボタン６１と、ハードディスクモードとＤＶＤモードとを選択するＨＤＤボタン５１及びＤＶＤボタン５３と、セレクトキー６５と、一発ダビングキー７１と、を有している。セレクトキー６５は、録画リスト及び電子番組表上の項目を複数選択する際に操作するキーであり、選択された子項目（番組）には後述するようにマークが表示される。
【００１７】
まず、ステップＳ１において、記録再生装置の電源をオンにする（ステップＳ１）。ついで、ＨＤＤモード又はＤＶＤモードの選択を、ＨＤＤボタン５１又はＤＶＤボタン５３を押して選択する（図４の１）。ＨＤＤモードはハードディスクを再生するモードでありＤＶＤモードはＤＶＤを再生するモードである。モード選択を行った後、ステップＳ２において、ＨＤＤモード又はＤＶＤモードの録画リスト（図４の３に示すような複数の録画済み番組のＩＤが並べられた録画リスト）をモニタ（テレビの表示部又は記録再生装置の表示部など）に表示させる（図４の２参照）。
【００１８】
ステップＳ３において、リモコン装置（記録再生装置本体の操作部でも良い）の方向キー５７を操作しながら、録画リストにおいてダビングを行いたい番組ＩＤにフォーカスをあて、セレクトキー６５を押すことにより、ダビング処理の仮予約を行う。リモコン装置の一発ダビングキー７１が押されるまでは、ステップＳ１１に進み、セレクトキー６５を押す操作により（ＹＥＳ）、ステップＳ１２において仮予約が行われた旨を報知するための選択マーク６３（図４の３のダビングマーク）が表示される。この際、選択された順番に若番からの番号が付される。この番号を見ることで、ユーザはどの順番でダビングが行われるかを確認することができる。その後、ステップＳ３に戻り、ダビングを行いたい次の番組の選択処理に進む。尚、同じ番組についてセレクトキー６５を押すと仮予約となり選択マーク６３が表示され、マーク表示されている番組にフォーカスを当ててさらにセレクトキー６５を押すと、仮予約が取り消されるとともに選択マーク６３が非表示となる。
【００１９】
このような選択処理をリモコンの一発ダビングキー７１が押されるまで継続する（ステップＳ４）。ステップＳ４において、リモコンの一発ダビングキー７１が押されたことが検知されると（ＹＥＳ：図４の４）、ステップＳ５において、ダビング条件が満たされているかどうかを判断する。
【００２０】
ダビング条件とは、ハードウェア、記録メディア、ダビングソースなどの条件であり、例えば、ダビング先のメディアの残容量がダビング元の容量以上であるか否かなどを含む。詳細には以下の通りである。
１）選択された番組の総録画時間＜ダビング先の録画可能時間であるかどうか？
２）選択した番組にコピー禁止項目があるか否か？
３）ディスクに書き込む場合には、ディスクが書き込み禁止になっていないか？
４）書き込みモードがディスクにおいて対応していないかどうか？
【００２１】
ダビング条件を満たしていない場合には（Ｎｏ）ステップＳ９に進み、ダビング処理を開始せずにダビング条件を満たしていない項目の表示などを行うことにより、ユーザに条件不備項目に関する対策の機会を付与する（例えば、メディアの交換など）。自動的にダビング条件を満たすようにすることができればそのように処理するようにしても良い。次いで、ステップＳ４に戻る。
【００２２】
ステップＳ５においてダビング条件を満たしていると判定された場合には（ＹＥＳ）、ステップＳ６に進み、ユーザ側で設定可能なダビング動作設定を読み込む。ダビング動作設定とは、ダビング処理を行う際に必要な設定項目を事前に読み込むものである。例えば、録画モード（ＶＲ、ＶＩＤＥＯ等）、画質モード（ＳＰ、ＥＰ等）、高速ダビングかレート変換かなどである。ＣＰＵで自動的に判断することができる処理に関しては設定項目を読み込まなくても良いが、いずれにせよ、読み込んだダビング動作設定項目に沿ってダビング処理を行うことになる。
【００２３】
次いで、ステップＳ７において、録画リストはＨＤＤのものかどうかを判定する。録画リストがＨＤＤのものであれば（Ｙｅｓ）、ステップＳ８に進み選択され仮予約された番組を、ステップＳ６において事前に設定されたダビング動作設定に基づいてＨＤＤからＤＶＤにダビングを行う。録画リストがＤＶＤものであれば（Ｎｏ）、ステップＳ１０に進み選択され仮予約された番組を、ステップＳ６において事前に設定されたダビング動作設定に基づいてＤＶＤからＨＤＤにダビングを行う。ダビングの進行状況が表示されるようにしても良い。これらのダビングが終了すると、表示画面に例えばどのような条件でダビングしたかの詳細を表示し、ダビング処理の終了を報知する。
【００２４】
以上のように、本実施の形態による記録再生装置においては、録画済みリストを参照しながらセレクトキーにより仮予約した複数の番組について、ダビング条件の充足、ダビング動作設定の読み込み、ダビング元とダビング先の決定、実際のダビング処理から終了した旨の報知など一連の処理を、一発ダビングキーを押すだけの操作により行うことができる。従って、簡単な操作で複数タイトルのダビングができるという利点がある。また、タイトルの選択時点でダビングの選択順が表示され、また、ダビングが完了したことが表示されることにより、ユーザはダビングの進捗状況を確認することができるという利点がある。
【産業上の利用可能性】
【００２５】
本発明は、記録再生装置に利用可能である。
【図面の簡単な説明】
【００２６】
【図１】本発明の一実施の形態による記録再生装置の一構成例を示す機能ブロック図である。
【図２】本実施の形態による記録再生装置に関連する一発ダビング処理の流れを示すフローチャート図である。
【図３】本実施の形態によるリモコン装置の操作ボタンの構成例を示す図である。
【図４】一発ダビング処理における操作内容を流れに沿って具体的に示す図である。
【符号の説明】
【００２７】
Ａ…デジタル機器システム、Ｂ…デジタル放送受信装置、１…記録再生装置、３…リモコン装置、５…表示装置（モニタ）、７ａ…外部記録メディア、７…ＤＶＤ駆動部、１５…ユーザ設定記録部、１６…制御部、１７…リモコン受光部、１８…メモリ、２１…映像信号処理部、２３…内蔵映像データ記憶部、２５…再生部、２７…映像出力部、２８…音声出力部、５７…方向キー、６１…決定ボタン、６５…セレクトキー、７１…一発ダビングキー。
【図１】
2008027560.tif 000003
【図２】
2008027560.tif 000004
【図３】
2008027560.tif 000005
【図４】
2008027560.tif 000006